(57)【要約】【課題】壁掛け式の空調室内機において、ケーシングのコンパクト化を図るとともに、ケーシングのコンパクト化による送風性能の低下を複数のフラップによって抑制する。【解決手段】第１上フラップ３０及び下フラップ５０は、第１上フラップ下面３２がスクロール空気吹出流路１６ｂの流路上面１６ｃを前側に延長する姿勢を第１上フラップ３０がとると同時に下フラップ上面５１がスクロール空気吹出流路１６ｂの流路下面１６ｄを前側に延長する姿勢を下フラップ５０がとることにより、吹出口２７から吹出される空気の上下の風向きを所定の第１風向に設定する。【選択図】図２
2017053562.tif 000002
【特許請求の範囲】
【請求項１】
吹出口（２７）及び前記吹出口に繋がっている渦巻き状のスクロール空気吹出流路（１６ｂ）が形成されたケーシング（１１）と、
前記吹出口の上縁側に設けられ、前記吹出口から室内に吹出される空気の風向きを上下に調整するための第１上フラップ（３０）と、
前記吹出口の下縁側に設けられ、前記吹出口から室内に吹出される空気の風向きを上下に調整するための下フラップ（５０）と
を備え、
前記第１上フラップ及び前記下フラップは、前記第１上フラップの第１上フラップ下面（３２）が前記スクロール空気吹出流路の流路上面（１６ｃ）を前側に延長する姿勢を前記第１上フラップがとると同時に前記下フラップの下フラップ上面（５１）が前記スクロール空気吹出流路の流路下面（１６ｄ）を前側に延長する姿勢を前記下フラップがとることにより、前記吹出口から吹出される空気の上下の風向きを所定の第１風向に設定する、壁掛け式の空調室内機。
【請求項２】
前記第１上フラップは、前記第１上フラップ下面が前記流路上面を前側に延長する姿勢として、前記第１上フラップ下面が前記流路上面を前側に延長した第１仮想面（ＰＬ１）に一致する姿勢をとり、
前記下フラップは、前記下フラップ上面が前記流路下面を前側に延長する姿勢として、前記下フラップ上面が前記流路下面を前側に延長した第２仮想面（ＰＬ２）に一致する姿勢をとる、
請求項１に記載の壁掛け式の空調室内機。
【請求項３】
前記第１仮想面は、前後方向及び上下方向に平行な断面で前記第１仮想面を切断してできる第１仮想線が前記スクロール空気吹出流路の前記流路上面の前端（１６ｆ）の接線に一致し、
前記第２仮想面は、前後方向及び上下方向に平行な断面で前記第２仮想面を切断してできる第２仮想線が前記スクロール空気吹出流路の前記流路下面の前端（１６ｈ）の接線に一致する、
請求項２に記載の壁掛け式の空調室内機。
【請求項４】
前記ケーシングは、前記スクロール空気吹出流路の前記流路上面の前端の前に段差を有し、
前記第１上フラップは、前記段差の中に収納されたときに前記第１上フラップ下面の後端部が前記流路上面と面一になる、
請求項１から３のいずれか一項に記載の壁掛け式の空調室内機。
【請求項５】
前記ケーシングは、前記段差として、前記流路上面の前端と前記吹出口の前記上縁との間に凹み（１６ｇ）が形成されており、
前記第１上フラップは、前記第１風向に設定されているときに、前記凹みの中に収納可能に構成されている、
請求項４に記載の壁掛け式の空調室内機。
【請求項６】
前記第１上フラップは、前記第１風向に設定されている状態において、前記第１上フラップの後端から前記流路上面の前端までの距離が５ｍｍ以下であり、
前記下フラップは、前記第１風向に設定されている状態において、前記下フラップの後端から前記流路下面の前端までの距離が５ｍｍ以下である、
請求項１から５のいずれか一項に記載の壁掛け式の空調室内機。
【請求項７】
前記吹出口の前記上縁側であって前記第１上フラップの下流側に設けられ、前記吹出口から室内に吹出される空気の上下の風向き調整を行うための第２上フラップ（４０）をさらに備え、
前記第１上フラップ及び前記第２上フラップは、互いに干渉を避ける回動動作を行うことにより、前記第１上フラップの前端が前記第２上フラップの回転中心よりも上にある状態と前記第１上フラップの前端が前記第２上フラップの回転中心よりも下にある状態とを入れ換えることができるように構成されている、
請求項１から６のいずれか一項に記載の壁掛け式の空調室内機。
【発明の詳細な説明】
【技術分野】
【０００１】
本発明は、壁掛け式の空調室内機に関する。
【背景技術】
【０００２】
従来から、壁掛け式の空調室内機では、上下の風向きの調整を行うためのフラップを複数備えるものが提案されている。例えば特許文献１（特開２００７−９３０９２号公報）や特許文献２（特開２０１０−１２１８７８号公報）などに開示されているように、複数枚のフラップを用いることで上下方向の風向変更角度の範囲を広げた空調室内機がある。
【発明の概要】
【発明が解決しようとする課題】
【０００３】
特許文献１や特許文献２に記載されている空調室内機では、複数のフラップを用いることで上下方向の風向変更角度の範囲を広げられるものの、複数のフラップのうちの幾つかのフラップが気流の中に配置されて高い空気抵抗を発生するため送風性能が低下するという問題が生じる。特に、コンパクトなケーシングで上下の風向きの調整のために複数のフラップを用いると、風向きによっては十分な長さの吹出流路を形成できずに送風性能の低下を招くことがしばしば見られた。
【０００４】
本発明の課題は、壁掛け式の空調室内機において、ケーシングのコンパクト化を図るとともに、ケーシングのコンパクト化による送風性能の低下を複数のフラップによって抑制することである。
【課題を解決するための手段】
【０００５】
本発明の第１観点に係る壁掛け式の空調室内機は、吹出口及び吹出口に繋がっている渦巻き状のスクロール空気吹出流路が形成されたケーシングと、吹出口の上縁側に設けられ、吹出口から室内に吹出される空気の風向きを上下に調整するための第１上フラップと、吹出口の下縁側に設けられ、吹出口から室内に吹出される空気の風向きを上下に調整するための下フラップとを備え、第１上フラップ及び下フラップは、第１上フラップの第１上フラップ下面がスクロール空気吹出流路の流路上面を前側に延長する姿勢を第１上フラップがとると同時に下フラップの下フラップ上面がスクロール空気吹出流路の流路下面を前側に延長する姿勢を下フラップがとることにより、吹出口から吹出される空気の上下の風向きを所定の第１風向に設定する、ものである。
【０００６】
この壁掛け式の空調室内機では、第１上フラップ下面が流路上面を前側に延長した姿勢を第１上フラップがとると同時に、下フラップ上面が流路下面を前側に延長した姿勢を下フラップがとると、スクロール空気吹出流路の流路上面が第１上フラップ下面で延長され、スクロール空気吹出流路の流路下面が下フラップ上面で延長された状態になる。第１上フラップと下フラップを含む複数のフラップを用いることで風向変更角度の範囲を広げようとしてスクロール空気吹出流路が短縮されると送風性能が低下するが、送風性能が低下しないように第１風向では第１上フラップと下フラップでスクロール空気吹出流路を延長することができる。
【０００７】
本発明の第２観点に係る壁掛け式の空調室内機は、第１観点に係る空調室内機において、第１上フラップは、第１上フラップ下面が流路上面を前側に延長する姿勢として、第１上フラップ下面が流路上面を前側に延長した第１仮想面に一致する姿勢をとり、下フラップは、下フラップ上面が流路下面を前側に延長する姿勢として、下フラップ上面が流路下面を前側に延長した第２仮想面に一致する姿勢をとる、ものである。
【０００８】
この壁掛け式の空調室内機では、第１上フラップ下面が流路上面を前側に延長した第１仮想面に一致する姿勢を第１上フラップがとると同時に、流路下面を前側に延長した第２仮想面に一致する姿勢を下フラップがとることにより、スクロール空気吹出流路の先に第１上フラップと下フラップとで囲まれた吹出流路を延長することができ、このように長くなった吹出流路を通る気流によって高い送風能力を引き出すことができる。
【０００９】
本発明の第３観点に係る壁掛け式の空調室内機は、第２観点に係る空調室内機において、第１仮想面は、前後方向及び上下方向に平行な断面で第１仮想面を切断してできる第１仮想線がスクロール空気吹出流路の流路上面の前端の接線に一致し、第２仮想面は、前後方向及び上下方向に平行な断面で第２仮想面を切断してできる第２仮想線がスクロール空気吹出流路の流路下面の前端の接線に一致する、ものである。
【００１０】
この壁掛け式の空調室内機では、第１仮想線が流路上面の前端の接線に一致し、第２仮想線が流路下面の前端の接線に一致することから、スクロール空気吹出流路から第１上フラップ及び下フラップに続く空気のスムーズな流れを形成することができる。
【００１１】
本発明の第４観点に係る壁掛け式の空調室内機は、第１観点から第３観点のいずれかに係る空調室内機において、ケーシングは、スクロール空気吹出流路の流路上面の前端の前に段差を有し、第１上フラップは、段差の中に収納されたときに第１上フラップ下面の後端部が流路上面と面一になる、ものである。
【００１２】
この壁掛け式の空調室内機では、第１上フラップ下面の後端部が流路上面と面一になることから、流路上面と第１上フラップ下面との継ぎ目における空気抵抗を最小限に抑えることができる。
【００１３】
本発明の第５観点に係る壁掛け式の空調室内機は、第４観点に係る空調室内機において、ケーシングは、段差として、流路上面の前端と吹出口の上縁との間に凹みが形成されており、第１上フラップは、第１風向に設定されているときに、凹みの中に収納可能に構成されている、ものである。
【００１４】
この壁掛け式の空調室内機では、第１風向に設定されたときに凹みの中に第１上フラップを収納できることから、凹みの中に第１上フラップを収納することで第１上フラップの厚みが送風性能に与える影響を無くすことができる。
【００１５】
本発明の第６観点に係る壁掛け式の空調室内機は、第１観点から第５観点のいずれかに係る空調室内機において、第１上フラップは、第１風向に設定されている状態において、第１上フラップの後端から流路上面の前端までの距離が５ｍｍ以下であり、下フラップは、第１風向に設定されている状態において、下フラップの後端から流路下面の前端までの距離が５ｍｍ以下である、ものである。
【００１６】
この壁掛け式の空調室内機では、第１上フラップの後端から流路上面の前端までの距離が５ｍｍ以下であり、下フラップの後端から流路下面の前端までの距離が５ｍｍ以下であることから、第１上フラップの後端から流路上面の前端までの間及び下フラップの後端から流路下面の前端までの間で気流に乱れが生じ難くなる。
【００１７】
本発明の第７観点に係る壁掛け式の空調室内機は、第１観点から第６観点のいずれかに係る空調室内機において、吹出口の上縁側であって第１上フラップの下流側に設けられ、吹出口から室内に吹出される空気の上下の風向き調整を行うための第２上フラップをさらに備え、第１上フラップ及び第２上フラップは、互いに干渉を避ける回動動作を行うことにより、第１上フラップの前端が第２上フラップの回転中心よりも上にある状態と第１上フラップの前端が第２上フラップの回転中心よりも下にある状態とを入れ換えることができるように構成されている、ものである。
【００１８】
この壁掛け式の空調室内機では、第１上フラップと第２上フラップが互いに干渉を避ける回動動作を行うということにより、第１上フラップと第２上フラップとを互いに近づけて配置することができる。
【発明の効果】
【００１９】
本発明の第１観点に係る壁掛け式の空調室内機では、ケーシングのコンパクト化を図るとともに、ケーシングのコンパクト化による送風性能の低下を複数のフラップによって抑制することができる。
【００２０】
本発明の第２観点に係る壁掛け式の空調室内機では、コンパクト化されたときのスクロール空気吹出流路だけでは送風性能が十分でない場合でも第１上フラップ及び下フラップを用いることで送風性能を確保することが容易になる。
【００２１】
本発明の第３観点に係る壁掛け式の空調室内機では、空気の流れをスムーズにすることで高い送風性能を得ることができる。
【００２２】
本発明の第４観点に係る壁掛け式の空調室内機では、空気抵抗を小さくして、送風性能の低下を抑制できる。
【００２３】
本発明の第５観点に係る壁掛け式の空調室内機では、第１上フラップの厚みの影響を無くすことで、送風性能の低下を抑制することができる。
【００２４】
本発明の第６観点に係る壁掛け式の空調室内機では、気流を乱れ難くすることで、送風性能の低下を抑制することができる。
【００２５】
本発明の第７観点に係る壁掛け式の空調室内機では、第１上フラップと第２上フラップとを互いに近づけて配置し、ケーシングのコンパクト化を図ることができる。
【図面の簡単な説明】
【００２６】
【図１】本発明の実施形態に係る空調室内機の外観を示す斜視図。
【図２】図１の空調室内機の構成の概要を示す断面図。
【図３】下フラップの斜視図。
【図４】スクロール空気吹出流路を説明するための部分拡大断面図。
【図５】下フラップと吹出口の下縁との関係を説明するための部分拡大断面図。
【図６】第２風向の各フラップの姿勢を説明するための部分拡大断面図。
【図７】左右方向に対して垂直な平面で切断した空調室内機の左側部分を示す斜視図。
【図８】（ａ）第２風向の第１上フラップと第２上フラップの姿勢の他の例を説明するための部分断面図、（ｂ）第２風向の第１上フラップと第２上フラップの姿勢の他の例を説明するための部分断面図。
【図９】（ａ）第３風向の各フラップの姿勢を説明するための部分断面図、（ｂ）第４風向の各フラップの姿勢を説明するための部分断面図、（ｃ）第５風向の各フラップの姿勢を説明するための部分断面図。
【発明を実施するための形態】
【００２７】
（１）空調室内機の構成
図１には、空調室内機１０を前方右斜め下から見た外観が示されている。以下の説明における空調室内機１０の上下、前後及び左右は、図１の直交座標に示されている通りである。図２には、空調室内機１０の左右方向の略中央で左右方向に対して垂直な平面で切断した断面の主要な形状が示されている。この空調室内機１０は、壁掛け式であり、後部が室内の設置側壁ＷＬに取り付けられる。空調室内機１０は、室内空間ＲＳの冷房を行う冷房運転及び室内空間ＲＳの暖房を行う暖房運転を行なうことができる。
【００２８】
（２）詳細構成
図１及び図２に示されているように、空調室内機１０は、ケーシング１１と、エアフィルタ１２と、室内熱交換器１３と、室内ファン１４と、複数の垂直フラップ１５と、第１上フラップ３０と、第２上フラップ４０と、下フラップ５０とを備えている。
【００２９】
（２−１）ケーシング１１
ケーシング１１は、横方向（空調室内機１０の左右方向（図１の直交座標参照））に細長くかつ複数の開口を持つ箱形状を呈する。ケーシング１１は、図１及び図２に示されているように、天面部１１ａ、前面部１１ｂ、後面部１１ｃ、右側面部１１ｄ、左側面部１１ｅ及び底面部１１ｆによって囲まれた立体空間を内部に有する。ケーシング１１の天面部１１ａ、前面部１１ｂ、右側面部１１ｄ、左側面部１１ｅ及び底面部１１ｆは、化粧板２０で覆われている。ケーシング１１は、後面部１１ｃにある背面板２８によって設置側壁ＷＬに取り付けられる。ケーシング１１の立体空間内には、エアフィルタ１２、室内熱交換器１３、室内ファン１４及び底フレーム１６が収納されている。これらを立体空間内に収納するために、化粧板２０は、前から後ろに向かって被せられる構成になっている。
【００３０】
天面部１１ａは、ケーシング１１の上端部に位置する。化粧板２０の前面部１１ｂは、上端が天面部１１ａにヒンジ（図示せず）で回動自在に支持されている前面板２１で構成されている。この前面板２１は、化粧板２０の右側面部１１ｄを構成する右側板２２及び、化粧板２０の左側面部１１ｅを構成する左側板２３から分離されている。
【００３１】
背面板２８は、ケーシング１１の後面部１１ｃを構成している。この背面板２８が、室内の設置側壁ＷＬに設置された取り付け板（図示せず）にビス止め等によって取り付けられることによって、空調室内機１０が設置側壁ＷＬに設置される。
【００３２】
ケーシング１１の天面部１１ａには、天面吸込口２５が設けられている。室内ファン１４が駆動することによって、この天面吸込口２５近傍の室内空気が、この天面吸込口２５からケーシング１１の内部へと取り込まれる。天面吸込口２５から取り込まれた室内空気は、室内熱交換器１３を通過して室内ファン１４へと送られる。
【００３３】
ケーシング１１の底面部１１ｆには、底面吸込口２６が形成されている。また、底面部１１ｆには、吹出口２７が形成されている。底面吸込口２６は、吹出口２７よりも後方に設けられている。底フレーム１６の吸込流路１６ａによって、底面吸込口２６とケーシング１１内のエアフィルタ１２の上部にある空間とが繋がっている。従って、室内ファン１４の駆動によって、底面吸込口２６近傍の室内空気が、底面吸込口２６から吸込流路１６ａを通って室内熱交換器１３に送られる。吸込流路１６ａは、底面吸込口２６から底フレーム１６の流路上面１６ｃ及び流路下面１６ｄに沿って形成されている。吸込流路１６ａと後述するスクロール空気吹出流路１６ｂとは、流路下面１６ｄを間に挟んで互いに隣接している。底面吸込口２６には、底面吸込口２６の開閉を行うための開閉板１７が設けられている。
【００３４】
空調室内機１０において、底面吸込口２６よりも前に設けられている吹出口２７は、スクロール空気吹出流路１６ｂによってケーシング１１の内部と繋がっている。天面吸込口２５及び底面吸込口２６から吸い込まれ室内空気は、室内熱交換器１３にて熱交換された後、スクロール空気吹出流路１６ｂを通って吹出口２７から室内へと吹き出される。
【００３５】
（２−２）風向調整のための構成
吹出口２７は、左右に長く延びている上縁２７ａ及び下縁２７ｂを有している。吹出口２７の上縁２７ａの側には、左右に長く延びている平板状の第１上フラップ３０と、左右に長く延びている第２上フラップ４０とが設けられている。また、下縁２７ｂの側には、左右に長く延びている下フラップ５０が設けられている。第１上フラップ３０、第２上フラップ４０及び下フラップ５０は、それぞれ第１上フラップ上面３１及び第１上フラップ下面３２、第２上フラップ上面４１及び第２上フラップ下面４２、並びに下フラップ上面５１及び下フラップ下面５２を有している。第２上フラップ４０及び下フラップ５０は、中空構造になっており、第２上フラップ４０及び下フラップ５０の重量が軽減されている。
【００３６】
第１上フラップ３０、第２上フラップ４０及び下フラップ５０は、それぞれ、ケーシング１１に回動可能に取り付けられている。第１上フラップ３０、第２上フラップ４０及び下フラップ５０は、それぞれに対して設けられているフラップ駆動用モータ（図示せず）によってそれぞれ独立して、左右に延びるそれぞれの回転中心３５，４５，５８（図６参照）の周りで回動することができるように構成されている。図３には、下フラップ５０を右斜め上から見た図が示されている。この下フラップ５０の被支持部５３を結ぶ直線が、下フラップ５０の回転中心５８になる。また、これらフラップ駆動用モータは、空調室内機１０内に設けられている制御装置（図示せず）によって制御される。そして、これら第１上フラップ３０、第２上フラップ４０及び下フラップ５０は、単独で又は互いに協力して、吹出口２７から吹出される空気の風向きを上下に調整する。また、下フラップ５０は、吹出口２７から空気を吹出す際に吹出口２７を開き、運転停止時に吹出口２７を閉じる機能を有している。さらに、第２上フラップ４０は、運転停止時には、ケーシング１１に近づいてケーシング１１の一部のような姿勢をとることができるように構成されている。運転停止時には、第２上フラップ下面４２及び下フラップ下面５２は、ケーシング１１の化粧板２０に同化して空調室内機１０の意匠を構成する。
【００３７】
吹出口２７における第１上フラップ３０の奥には、左右方向に対して交差する平面を持つ複数の垂直フラップ１５が設けられている。フラップ駆動用モータ（図示せず）によって、上下に延びる回転中心の周りで垂直フラップ１５が左右に回動することができるように構成されている。垂直フラップ１５を駆動するフラップ駆動用モータも、空調室内機１０内に設けられている前述の制御装置によって制御される。そして、これら複数の垂直フラップ１５は、吹出口２７から吹出される空気の風向きを左右に調整する。
【００３８】
（２−３）室内熱交換器１３
室内熱交換器１３は、複数のフィンと、複数のフィンを貫く複数の伝熱管とで構成されている。室内熱交換器１３は、ケーシング１１内部において、底フレーム１６に取り付けられている。室内熱交換器１３は、空調室内機１０の運転状態に応じて蒸発器または凝縮器として機能し、伝熱管の中を流れる冷媒と室内熱交換器１３を通過する空気との間で熱交換を行わせる。
【００３９】
室内熱交換器１３は、図２に示されているように、側面視において両端が下方に向いて屈曲する略逆Ｖ字型の形状を有している。そして、室内熱交換器１３は、上から室内ファン１４を囲い込むように配置されている。
【００４０】
（２−４）室内ファン１４
室内ファン１４は、図２に示されているように、ケーシング１１の内部の略中央部分に位置している。この室内ファン１４は、空調室内機１０の長手方向（左右方向）に細長い略円筒形状をしたクロスフローファンである。室内ファン１４が回転駆動されることによって、室内空気が天面吸込口２５及び底面吸込口２６それぞれから吸い込まれてエアフィルタ１２を通過した後に、室内熱交換器１３を通過することで生成された調和空気が吹出口２７から室内へと吹出される。
【００４１】
（２−５）底フレーム１６
底フレーム１６は、上述のエアフィルタ１２と室内熱交換器１３と室内ファン１４を支える役割を果たす。また、底フレーム１６によって、吸込流路１６ａ及びスクロール空気吹出流路１６ｂが形成される。スクロール空気吹出流路１６ｂは、室内ファン１４の直下から前方斜め下に向かって延びている。このスクロール空気吹出流路１６ｂは、流路上面１６ｃと流路下面１６ｄとの間にはさまれた空間である。
【００４２】
図４には、図２から第１上フラップ３０、第２上フラップ４０及び下フラップ５０が取り除かれた状態が示されている。この図４を用いて、スクロール空気吹出流路１６ｂの形状について説明する。流路下面１６ｄは、吹出口２７の下縁２７ｂから上方に延びており、室内ファン１４の後部斜め上まで覆っている。この流路下面１６ｄは、後方に膨らむように滑らかに湾曲している。左右方向に対して垂直な平面で流路下面１６ｄを切断したときの流路下面１６ｄの断面形状が渦巻き形状になっている。言い換えれば、このような流路下面１６ｄの断面形状は、旋回するにつれて室内ファン１４の回転中心から遠ざかる曲線である。
【００４３】
吹出口２７の上縁２７ａと流路上面１６ｃの上面前端１６ｆとの間には、左右に長く延びる凹み１６ｇが形成されている。この凹み１６ｇが形成されることにより、流路上面１６ｃの上面前端１６ｆの前に段差が形成されている。この凹み１６ｇには、第１上フラップ３０を収納することができる。凹み１６ｇに第１上フラップ３０が収納された状態では、第１上フラップ下面３２の後端部が流路上面１６ｃと面一になるように構成されている。流路上面１６ｃは、室内ファン１４の下方に向かって、上面前端１６ｆから後方斜め上にほぼ真っ直ぐに延びている。
【００４４】
（２−６）エアフィルタ１２
エアフィルタ１２は、天面吸込口２５及び底面吸込口２６から吸い込まれた室内空気中の塵埃を捕集するためのものである。エアフィルタ１２がケーシング１１に装着された状態で、エアフィルタ１２は、ケーシング１１の天面部１１ａと室内熱交換器１３との間に位置する。このエアフィルタ１２が、室内熱交換器１３の表面に室内空気中の塵埃が付着することを防いでいる。エアフィルタ１２は、メンテナンスのためにケーシング１１に取り付けたり、ケーシング１１から取り出したりすることができるようになっている。
【００４５】
（３）上下方向の風向調整
（３−１）第１風向
図１及び図２に示されている第１上フラップ３０と第２上フラップ４０と下フラップ５０の姿勢は、第１風向で空気を吹出すときにとられる。第１風向は、室内空間ＲＳの奥まで気流を循環させるときの風向である。室内空間ＲＳの奥まで気流を循環させるためには、吹出口２７で拡散させずに、速い風速を持つ層流を作り出すことが好ましい。このような層流を作り出すには、スクロール空気吹出流路１６ｂを延長することが好ましい。しかし、スクロール空気吹出流路１６ｂを延ばしたり縮めたりすることが難しいので、第１上フラップ３０と下フラップ５０の姿勢により、スクロール空気吹出流路１６ｂを延長したのと同じ状況を擬似的につくっているのが図１及び図２の状態である。
【００４６】
第１風向では、第１上フラップ下面３２がスクロール空気吹出流路１６ｂの流路上面１６ｃを前側に延長する姿勢を、第１上フラップ３０がとっている。また、この第１風向では、下フラップ上面５１がスクロール空気吹出流路１６ｂの流路下面１６ｄを前側に延長する姿勢を、下フラップ５０がとっている。
【００４７】
図４に示されているように、流路上面１６ｃを前側に延長すると、流路上面１６ｃとほぼ平行に上面前端１６ｆから始まる第１仮想面ＰＬ１が形成される。この場合、後方向及び上下方向に平行な断面で第１仮想面ＰＬ１を切断してできる第１仮想線が、スクロール空気吹出流路１６ｂの流路上面１６ｃの上面前端１６ｆの接線に一致することが好ましい。また、流路下面１６ｄを前側に延長すると、流路下面１６ｄの下面前端１６ｈとほぼ平行に下面前端１６ｈから始まる第２仮想面ＰＬ２が形成される。この場合、前後方向及び上下方向に平行な断面で第２仮想面ＰＬ２を切断してできる第２仮想線がスクロール空気吹出流路１６ｂの流路下面１６ｄの下面前端１６ｈの接線に一致することが好ましい。
【００４８】
なお、第１上フラップ下面３２が多少湾曲する場合もあるが、その場合には、第１上フラップ下面３２の主面の後端部が第１仮想面ＰＬ１に一致することをもって、第１上フラップ下面３２が第１仮想面ＰＬ１に一致しているとみなす。また、第１上フラップ下面３２が多少湾曲する場合もあるが、その場合には、下フラップ上面５１の主面の後端部が第２仮想面ＰＬ２に一致することをもって、下フラップ上面５１が第２仮想面ＰＬ２に一致しているとみなす。なお、ここで主面とは、風向調整には寄与しない部分を除く、専ら風向調整に用いられる面をいう。例えば、凹部５４は、ケーシング１１にある出っ張りに対応して設けられたものである。この凹部５４の部分は、下フラップ５０で吹出口２７を閉じる際にケーシング１１の出っ張りが邪魔にならないようにするための構造であり、風向調整にはあまり寄与していないことから、主面には含まれない。
【００４９】
第１上フラップ３０は、回動するために、流路上面１６ｃの上面前端１６ｆから離して取り付けられている。同様の理由から、下フラップ５０も流路下面１６ｄの下面前端１６ｈから離して取り付けられている。しかし、第１上フラップ３０と流路上面１６ｃ及び下フラップ５０と流路下面１６ｄが離れ過ぎていると、第１上フラップ下面３２及び下フラップ５０によるスクロール空気吹出流路１６ｂの十分な延長効果が得られない。そこで、第１風向に設定されている状態において、第１上フラップ３０が回動可能である範囲において第１上フラップ３０の後端３４から流路上面１６ｃの上面前端１６ｆまでの距離が５ｍｍ以下になるように構成され、下フラップ５０の後端５６から流路下面１６ｄの下面前端１６ｈまでの距離Ｌ１が５ｍｍ以下になるように構成されている（図５参照）
第２上フラップ４０は、第１上フラップ３０の下流側に設けられていることから、延長されたスクロール空気吹出流路１６ｂの吹出口である第１上フラップ３０の前端３３と下フラップ５０の前端５５とで囲まれた部分から吹出される空気の風向きを上下に微調整する。図２に示されている状態では、第２上フラップ４０が、吹出される空気に対して抵抗ができるだけ低くなる姿勢をとりながら、水平よりも少し下を向いたスクロール空気吹出流路１６ｂから吹出される空気の風向きを少し上に持ち上げる姿勢をとっている。
【００５０】
（３−２）第２風向
図６に示されている第２風向は、空調室内機１０の後面部１１ｃが取り付けられている壁に沿う気流をつくりだすときの風向である。第２風向で空気を吹出すように設定された第１上フラップ３０、第２上フラップ４０及び下フラップ５０は、吹出口２７よりも後面部１１ｃの方向に向かう気流を生成する。このとき、下フラップ５０は、下フラップ上面５１が前後方向に対して垂直な鉛直面よりも後方に回動して、前端５５が後端５６よりも後方に位置している。同様に、第２上フラップ４０も、第２上フラップ上面４１が前後方向に対して垂直な鉛直面よりも後方に回動して、前端４３が後端４４よりも後方に位置している。同様に、第１上フラップ３０も、第１上フラップ上面３１が前後方向に対して垂直な鉛直面よりも後方に回動して、前端３３が後端３４よりも後方に位置している。
【００５１】
第２風向のとき下フラップ下面５２に形成されている窪み部５７に吹出口２７の下縁２７ｂが入り込むように、下フラップ５０が取り付けられている。従って、下フラップ下面５２に窪み部５７がない場合に比べて、窪み部５７に下縁２７ｂが入り込む分だけ、下フラップ５０の前端５５をより後に移動させることができる。その結果、窪み部５７がない場合に比べて窪み部５７があることにより、より高い位置から設置側壁ＷＬに気流を沿わせることができる。
【００５２】
第２風向のときの第１上フラップ３０と第２上フラップ４０は、正面視において、第１上フラップ３０と第２上フラップ４０が一致する姿勢をとることで、第１上フラップ３０と第２上フラップ４０の間の隙間から前方に空気が流れるのを防いでいる。
【００５３】
第２風向として、図８（ａ）及び図８（ｂ）に示されている姿勢を、第１上フラップ３０と第２上フラップ４０がとることもできる。図８（ａ）に示されている第１上フラップ３０と第２上フラップ４０は、第２上フラップ下面４２に第１上フラップ上面３１が接触する姿勢をとっている。また、図８（ｂ）に示されている第１上フラップ３０と第２上フラップ４０は、第１上フラップ３０の前端３３が第２上フラップ４０に接近して、第１上フラップ下面３２と第２上フラップ下面４２が一列に並んで続いている姿勢をとっている。
【００５４】
図６から図８（ｂ）に示されている第１上フラップ３０の前端３３の位置は、第２上フラップ４０の回転中心４５よりも下にある状態である。それに対して、凹み１６ｇに収納されているとき第１上フラップ３０の位置は、第２上フラップ４０の回転中心４５よりも上にある状態である。図６から図８（ｂ）に示されている第１上フラップ３０の位置に第１上フラップ３０が回動してくるには、第１上フラップ３０が回動する軌道上にある図６から図８（ｂ）の位置にある第２上フラップ４０が邪魔になる。つまり、凹み１６ｇに第１上フラップ３０が収納されているときに、図６から図８（ｂ）に示されている位置に第２上フラップ４０があったのでは、第２上フラップ４０に当たってしまって第１上フラップ３０が図６から図８（ｂ）に示されている位置にまで回動することができない。そこで、例えば、第２上フラップ４０がケーシング１１に最も近くなるように前方に回動した状態、言い換えるとケーシング１１に第２上フラップ４０が沿う状態で、先に凹み１６ｇに収納されている第１上フラップ３０を図６から図８（ｂ）に示されている位置まで後方に回動させる。続いて、第２上フラップ４０を図６から図８（ｂ）に示されている位置まで後方に回動させる。このように第１上フラップ３０と第２上フラップ４０が互いに干渉を避ける回動動作を行うことにより、第１上フラップ３０の前端３３が第２上フラップ４０の回転中心４５よりも上にある状態と下にある状態とを入れ換えることができる。
【００５５】
（３−３）第３風向
図９（ａ）に示されている第３風向は、最大風量で空気を吹出すときの風向である。第３風向で空気を吹出すように設定されたとき、第１上フラップ３０は、流路上面１６ｃの前にある凹み１６ｇに収納されている。第３風向では、第２上フラップ４０の前端４３が第１風向のときよりも少し上に移動して、第２上フラップ４０が吹出口２７から吹出される気流を上に広げる姿勢をとっている。第３風向では、下フラップ５０の前端５５が第１風向のときよりも少し下に移動して、下フラップ５０が吹出口２７から吹出される気流を下に広げる姿勢をとっている。つまり、第２上フラップ４０及び下フラップ５０は、前方にいくほど広がって、最大風量で吹出された空気を室内空間ＲＳに送り込みやすい姿勢をとっている。
【００５６】
（３−４）第４風向
図９（ｂ）に示されている第４風向は、前方下向きに空気を吹出すときの風向きである。第４風向で空気を吹出すように設定されたとき、第１上フラップ３０は、流路上面１６ｃの前にある凹み１６ｇに収納されている。第４風向では、第２上フラップ４０の前端４３が第１風向のときよりも少し下に移動して、第２上フラップ４０が吹出口２７から吹出される気流を下に押下げる姿勢をとっている。つまり、このときの第２上フラップ下面４２は、前方に行くほど下に下がる割合が第１仮想面ＰＬ１よりも大きく、第１仮想面ＰＬ１よりも前下がりになっている。第４風向では、下フラップ５０の前端５５が第１風向のときよりも少し下に移動して、下フラップ５０が吹出口２７から吹出される気流を下に誘導する姿勢をとっている。つまり、このときの下フラップ上面５１は、前方に行くほど下に下がる割合が第２仮想面ＰＬ２よりも大きく、第２仮想面ＰＬ２よりも前下がりになっている。
【００５７】
（３−５）第５風向
図９（ｃ）に示されている第５風向は、冷房時に、第１上フラップ３０を使って前方下向きに空気を吹出すときの風向きの一例である。第４風向で空気を吹出すように設定されたとき、第１上フラップ３０は、前端３３が下に移動するように回動して凹み１６ｇから出て前下がりの姿勢をとっている。このとき、第１上フラップ下面３２は、流路上面１６ｃと第２上フラップ下面４２とを結ぶ面に近い位置にあって、流路上面１６ｃから第２上フラップ下面４２に向かう気流がスムーズになるように、吹出される空気を中継する。
【００５８】
第５風向では、第２上フラップ４０の前端４３が第１風向のときよりも少し下に移動しているものの前端４３が第４風向のときよりも少し上に移動した状態であり、第２上フラップ４０が吹出口２７から吹出される気流を少し下に押下げる姿勢をとっている。また、第５風向では、下フラップ５０の姿勢が第４風向と同じである。このような姿勢を第１上フラップ３０、第２上フラップ４０及び下フラップ５０がとることで、吹出された空気を第４風向に比べて前方の遠い場所にまで運ぶことができる。
【００５９】
（４）特徴
（４−１）
本実施形態の壁掛け式の空調室内機１０によれば、例えば図２に示されている第１風向では、第１上フラップ下面３２が流路上面１６ｃを前側に延長した姿勢を第１上フラップ３０がとると同時に、下フラップ上面５１が流路下面１６ｄを前側に延長した姿勢を下フラップ５０がとる。このような姿勢を第１上フラップ３０及び下フラップ５０がとると、スクロール空気吹出流路１６ｂの流路上面１６ｃが第１上フラップ下面３２で延長され、スクロール空気吹出流路１６ｂの流路下面１６ｄが下フラップ上面５１で延長された状態になる。
【００６０】
空調室内機１０の大きさを変えずに、第１上フラップ３０と第２上フラップ４０と下フラップ５０を用いることで風向変更角度の範囲を広げようとすると、第１上フラップ３０と第２上フラップ４０と下フラップ５０を配置するスペースが必要になるために、スクロール空気吹出流路１６ｂが短縮されることになって、送風性能が低下することになる。しかし、空調室内機１０の送風性能が低下しないように、第１風向では、第１上フラップ３０と下フラップ５０でスクロール空気吹出流路１６ｂが延長されている。その結果、ケーシング１１のコンパクト化を図るとともに、ケーシング１１のコンパクト化による送風性能の低下を、この空調室内機１０では、第１上フラップ３０と下フラップ５０によって抑制することができる。
【００６１】
（４−２）
図４に二点鎖線で示されているように流路上面１６ｃを前側に延長した第１仮想面ＰＬ１に、第１上フラップ下面３２が一致する姿勢を第１上フラップ３０がとると同時に、図４に二点鎖線で示されているように流路下面１６ｄを前側に延長した第２仮想面ＰＬ２に一致する姿勢を下フラップ５０がとる。このように第１上フラップ３０と下フラップ５０とが第１仮想面ＰＬ１と第２仮想面ＰＬ２に一致する姿勢をとることにより、スクロール空気吹出流路１６ｂの先に第１上フラップ３０と下フラップ５０とで囲まれた吹出流路を延長でき、第１上フラップ３０と下フラップ５０の部分だけ長くなったスクロール空気吹出流路を通る気流によって高い送風能力を引き出すことができる。その結果、コンパクト化されたときのスクロール空気吹出流路１６ｂだけでは送風性能が十分でない場合でも第１上フラップ３０及び下フラップ５０を用いることで送風性能を確保することが容易になる。
【００６２】
（４−３）
前後方向及び上下方向に平行な断面で第１仮想面ＰＬ１を切断してできる第１仮想線が流路上面１６ｃの上面前端１６ｆの接線に一致し、前後方向及び上下方向に平行な断面で第２仮想面ＰＬ２を切断してできる第２仮想線が流路下面１６ｄの下面前端１６ｈの接線に一致することから、スクロール空気吹出流路１６ｂから第１上フラップ３０及び下フラップ５０に続く空気のスムーズな流れを形成することができる。このように空気の流れをスムーズにすることで、第１上フラップ３０及び下フラップ５０でスクロール空気吹出流路１６ｂを延長しても高い送風性能を得ることができる。
【００６３】
（４−４）
第１上フラップ３０は、凹み１６ｇ（段差の例）の中に収納されたときに第１上フラップ下面３２の後端部が流路上面１６ｃと面一になる。このように第１上フラップ下面３２の後端部が流路上面１６ｃと面一になることから、流路上面１６ｃと第１上フラップ下面３２との継ぎ目における空気抵抗を最小限に抑えることができる。その結果、第１上フラップ３０及び下フラップ５０で延長されたスクロール空気吹出流路１６ｂにおける空気抵抗を小さくして、送風性能の低下を抑制することができる。
【００６４】
（４−５）
図２に示されているように、第１風向に設定されたときに凹み１６ｇの中に第１上フラップを収納できることから、凹み１６ｇの中に第１上フラップ３０を収納することで第１上フラップ３０の厚みが送風性能に与える影響を無くすことができる。第１上フラップ３０の厚みの影響を無くすことで、第１上フラップ３０及び下フラップ５０で延長されたスクロール空気吹出流路１６ｂにおける送風性能の低下を抑制することができる。
【００６５】
（４−６）
図４及び図５に示されているように、下フラップ５０の後端５６から流路下面１６ｄの下面前端１６ｈまでの距離Ｌ１が５ｍｍ以下であり、第１上フラップ３０の後端３４から流路上面１６ｃの上面前端１６ｆまでの距離が５ｍｍ以下であることから、第１上フラップ３０の後端３４から流路上面１６ｃの上面前端１６ｆまでの間及び下フラップ５０の後端５６から流路下面１６ｄの下面前端１６ｈまでの間で気流に乱れが生じ難くなる。つまり、このような条件下においては、第１上フラップ３０及び下フラップ５０がスクロール空気吹出流路１６ｂの延長部としての機能を十分に発揮しているということである。このように、気流を乱れ難くすることで、スクロール空気吹出流路延長においても送風性能の低下を抑制することができる。
【００６６】
（４−７）
例えば図１及び図２に示されている第１上フラップ３０と第２上フラップ４０の位置関係は、第１上フラップ３０の前端３３が第２上フラップ４０の回転中心４５よりも上にある状態（ここでは、第１状態と呼ぶ。）である。それに対して、例えば図６から図８（ｂ）に示されている第１上フラップ３０の前端３３が第２上フラップ４０の回転中心４５よりも下にある状態（ここでは、第２状態と呼ぶ。）である。このような第１状態から第２状態に各フラップを移動させるには、第１上フラップ３０と第２上フラップ４０が互いに干渉を避ける回動動作を行うということになる。互いに干渉を避ける回動動作としては、例えば、先ず第２上フラップ４０をケーシング１１に最接近させた状態で、先に第１上フラップ３０を凹み１６ｇから第２状態の位置まで移動する。次に、第１上フラップ３０を停止させたまま、第２上フラップ４０を第１状態の位置から第２状態の位置まで移動する。このように、互いに干渉を避ける回動動作を行えることで、第１上フラップ３０と第２上フラップ４０とがどのように動いても互いにぶつからない状態まで離すのに比べて、第１上フラップ３０と第２上フラップ４０とを互いに近づけて配置することができる。第１上フラップ３０と第２上フラップ４０とを互いに近づけて配置することで、ケーシング１１のコンパクト化が図られている。
【００６７】
（５）変形例
（５−１）変形例Ａ
上記実施形態では、凹み１６ｇの前後が下方に凸の形状になっているが、第１上フラップ３０を収納する箇所は、凹み１６ｇの前方凸部をなくして、段差のように形成することもできる。
【００６８】
（５−２）変形例Ｂ
上記実施形態では、第１風向のときに、第１上フラップ３０と下フラップ５０を用いて、スクロール空気吹出流路１６ｂを延長しているが、第２上フラップ４０をスクロール空気吹出流路１６ｂの延長に加えてもよい。例えば、第２上フラップ下面４２を第１仮想面ＰＬ１上に一致させることで、第２上フラップ４０をスクロール空気吹出流路１６ｂの延長に加えることができる。
【符号の説明】
【００６９】
１０  空調室内機
１１  ケーシング
１６  底フレーム
１６ｂ  スクロール空気吹出流路
１６ｃ  流路上面
１６ｄ  流路下面
１６ｆ  上面前端
１６ｈ  下面前端
２７  吹出口
２７ａ  上縁
２７ｂ  下縁
３０  第１上フラップ
３１  第１上フラップ上面
３２  第１上フラップ下面
３３  前端
３４  後端
４０  第２上フラップ
４１  第２上フラップ上面
４２  第２上フラップ下面
５０  下フラップ
５１  下フラップ上面
５２  下フラップ下面
５５  前端
５６  後端
ＰＬ１  第１仮想面
ＰＬ２  第２仮想面
【先行技術文献】
【特許文献】
【００７０】
【特許文献１】特開２００７−９３０９２号公報
【特許文献２】特開２０１０−１２１８７８号公報
【図１】
2017053562.tif 000003
【図２】
2017053562.tif 000004
【図３】
2017053562.tif 000005
【図４】
2017053562.tif 000006
【図５】
2017053562.tif 000007
【図６】
2017053562.tif 000008
【図７】
2017053562.tif 000009
【図８】
2017053562.tif 000010
【図９】
2017053562.tif 000011